(57)【要約】【課題】従来の技術は、一旦登録したデータベースの情報とユーザの感性が合わない場合、ユーザの意図しない結果になってしまう。データベース変更の手段はあるが、一時的なもので検索した結果をもとに変更していく必要があり、リアルタイムにユーザの感性にあった楽曲が検索できない場合がある。【解決手段】ユーザ情報をもとに、楽曲の特徴量や書誌情報などを格納したデータベースを日々、自動的に更新する手段をもつことで、よりユーザの感性にあった楽曲を検索することを可能になる。【選択図】図１
2008242557.tif 000002
【特許請求の範囲】
【請求項１】
楽曲の音響信号を入力する音響信号入力手段と、音響信号から特徴量を抽出しデータベースに登録する特徴量抽出登録手段と、楽曲に関する書誌情報（アーティスト名、曲名、作詞者、作曲者、編曲者、ジャンル名など）をデータベースに登録する書誌情報登録手段と、楽曲の歌詞情報を入力する歌詞情報入力手段と、歌詞情報を分析しデータベースに登録する歌詞情報分析登録手段と、特徴量と書誌情報（アーティスト名、曲名、作詞者、作曲者、編曲者、ジャンル名など）と歌詞情報と関連付けさせるデータベースリンク手段と、特徴量と書誌情報（アーティスト名、曲名、作詞者、作曲者、編曲者、ジャンル名など）と歌詞情報を管理する特徴量・書誌情報・歌詞情報リンクデータベースと、ユーザ情報を入力するユーザ情報入力手段と、ユーザ情報をもとに、データベースを自動的に更新するデータベース自動更新手段と、地域情報を取得する地域情報取得手段と地域情報をもとにデータベースから楽曲を検索する楽曲検索手段と検索した楽曲を表示する検索楽曲表示手段と、データベース内の書誌情報と歌詞情報とを変更するデータベース変更手段とを有することを特徴とする楽曲検索装置。
【請求項２】
楽曲の音響信号を読込む音響信号の読込みステップと、音響信号から特徴量を抽出しデータベースに登録する特徴量の抽出登録ステップと、楽曲に関する書誌情報（アーティスト名、曲名、作詞者、作曲者、編曲者、ジャンル名など）をデータベースに登録する書誌情報の登録ステップと、楽曲の歌詞情報を読込む歌詞情報の読込みステップと、歌詞情報を分析しデータベースに登録する歌詞情報の分析・登録ステップと、特徴量と書誌情報（アーティスト名、曲名、作詞者、作曲者、編曲者、ジャンル名など）と歌詞情報と関連付けるデータベースのリンク付けステップと、特徴量と書誌情報（アーティスト名、曲名、作詞者、作曲者、編曲者、ジャンル名など）と歌詞情報を管理する特徴量・書誌情報・歌詞情報リンクデータベースと、ユーザ情報を読込むユーザ情報の読込みステップと、ユーザ情報をもとに、データベースを自動的に更新するデータベースの自動更新ステップと、地域情報を読込む地域情報の読込みステップと地域情報をもとにデータベースから楽曲を検索する楽曲の検索ステップと検索した楽曲を表示する検索楽曲の表示ステップと、データベース内の書誌情報と歌詞情報とを変更するデータベースの変更ステップとを有することを特徴とする楽曲検索方法。
【請求項３】
請求項２の楽曲検索方法を、コンピュータに実行させるためのプログラム。
【請求項４】
請求項３に記載のプログラムを記録した媒体。
【発明の詳細な説明】
【技術分野】
【０００１】
本発明は、楽曲の検索に使用するデータベースをユーザの日々の情報を入力することを可能し、データベースを自動的に更新することでユーザの感性により近い検索をリアルタイムに行えることを可能にした。ユーザの感性にあった楽曲を検索する楽曲検索装置、方法、その動作をコンピュータ上で実現する楽曲検索システム用プログラム、及び前記プログラムを記録したコンピュータ読み取り可能な記録媒体に関する。
【背景技術】
【０００２】
従来の技術は、楽曲の特徴量や書誌情報などを格納したデータベースから、地域情報などの入力情報をもとにデータベースから検索を行い、楽曲を選択する場合が多い。そのため、一旦登録したデータベースの情報とユーザの感性が合わない場合、何度、検索をしてもユーザの意図しない結果になってしまう。データベース変更の手段はあるが、一時的なもので検索した結果をもとに変更していく必要があり、リアルタイムにユーザの感性にあった楽曲が検索できない場合がある。
【０００３】
なお、これに関連する先行技術として以下のものがある。（例えば、特許文献１参照）
【特許文献１】特開平９−２９３０８３号公報
【発明の開示】
【発明が解決しようとする課題】
【０００４】
本発明は、ユーザ情報をもとに、楽曲の特徴量や書誌情報などを格納したデータベースを日々、自動的に更新することで、よりユーザの感性にあった楽曲を検索することを可能にする手段を提供することを目的としてなされたものである。
【課題を解決するための手段】
【０００５】
上記目的を達成するために、本発明の請求項１記載の楽曲検索装置は、楽曲の音響信号を入力する音響信号入力手段と、音響信号から特徴量を抽出しデータベースに登録する特徴量抽出登録手段と、楽曲に関する書誌情報（アーティスト名、曲名、作詞者、作曲者、編曲者、ジャンル名など）をデータベースに登録する書誌情報登録手段と、楽曲の歌詞情報を入力する歌詞情報入力手段と、歌詞情報を分析しデータベースに登録する歌詞情報分析登録手段と、特徴量と書誌情報（アーティスト名、曲名、作詞者、作曲者、編曲者、ジャンル名など）と歌詞情報と関連付けさせるデータベースリンク手段と、特徴量と書誌情報（アーティスト名、曲名、作詞者、作曲者、編曲者、ジャンル名など）と歌詞情報を管理する特徴量・書誌情報・歌詞情報リンクデータベースと、ユーザ情報を入力するユーザ情報入力手段と、ユーザ情報をもとに、データベースを自動的に更新するデータベース自動更新手段と、地域情報を取得する地域情報取得手段と地域情報をもとにデータベースから楽曲を検索する楽曲検索手段と検索した楽曲を表示する検索楽曲表示手段と、データベース内の書誌情報と歌詞情報とを変更するデータベース変更手段とを有することを特徴とする。
【０００６】
本発明の請求項２に記載の楽曲検索方法は、楽曲の音響信号を読込む音響信号の読込みステップと、音響信号から特徴量を抽出しデータベースに登録する特徴量の抽出登録ステップと、楽曲に関する書誌情報（アーティスト名、曲名、作詞者、作曲者、編曲者、ジャンル名など）をデータベースに登録する書誌情報の登録ステップと、楽曲の歌詞情報を読込む歌詞情報の読込みステップと、歌詞情報を分析しデータベースに登録する歌詞情報の分析・登録ステップと、特徴量と書誌情報（アーティスト名、曲名、作詞者、作曲者、編曲者、ジャンル名など）と歌詞情報と関連付けるデータベースのリンク付けステップと、特徴量と書誌情報（アーティスト名、曲名、作詞者、作曲者、編曲者、ジャンル名など）と歌詞情報を管理する特徴量・書誌情報・歌詞情報リンクデータベースと、ユーザ情報を読込むユーザ情報の読込みステップと、ユーザ情報をもとに、データベースを自動的に更新するデータベースの自動更新ステップと、地域情報を読込む地域情報の読込みステップと地域情報をもとにデータベースから楽曲を検索する楽曲の検索ステップと検索した楽曲を表示する検索楽曲の表示ステップと、データベース内の書誌情報と歌詞情報とを変更するデータベースの変更ステップとを有することを特徴とする。
【０００７】
請求項３記載の発明は、請求項２に記載の楽曲検索方法を、コンピュータに実行させるためのプログラムである。
【０００８】
請求項４記載の発明は、請求項３に記載の楽曲検索方法を、コンピュータに実行させるためのプログラムを記録したコンピュータ読み取り可能な記録媒体である。
【発明の効果】
【０００９】
本発明により、データベース更新を日々新たなユーザ情報をもとに更新していくことで、
楽曲を検索するためにデータベースがよりユーザの感性に近いものとなり、リアルタイムにユーザの感性にあった楽曲の検索が可能になる。
【発明を実施するための最良の形態】
【００１０】
（実施の形態１）
以下、本発明の実施の形態１について、図面を参照しながら説明する。図１は本発明の実施の形態１における楽曲検索装置の全体構成を示すブロック図である。図１において、１０１は音響信号入力手段、１０２は特徴量抽出・登録手段、１０３は書誌情報登録手段、１０４は歌詞情報入力手段、１０５は歌詞情報分析・登録手段、１０６はデータベースリンク手段、１０７はユーザ情報入力手段、１０８はデータベース自動更新手段、１０９は地域情報取得手段、１１０は楽曲検索手段、１１１は検索楽曲表示手段、１１２はデータベース変更手段、１１３は特徴量・書誌情報・歌詞情報リンクデータベースを表している。
【００１１】
以上のように構成された楽曲検索装置について、以下、その動作について図１を用いて説明する。本装置は、最初に音響信号入力手段１０１で楽曲の音響信号を入力する。次に、特徴量抽出・登録手段１０２では、前記音響信号入力手段１０１で入力された楽曲の音響信号から特徴量を抽出し、特徴量・書誌情報・歌詞情報リンクデータベース１１３に登録する。次に書誌情報登録手段で楽曲の書誌情報（アーティスト名、曲名、作詞者、作曲者、編曲者、ジャンル名など）を特徴量・書誌情報・歌詞情報リンクデータベース１１３に登録する。次に歌詞情報入力手段１０４で楽曲の歌詞情報を入力する。次に歌詞情報分析・登録手段１０５では、前記歌詞情報入力手段１０４で入力された歌詞情報を分析し、特徴量・書誌情報・歌詞情報リンクデータベース１１３に登録する。次にデータベースリンク手段１０６で前記特徴量・書誌情報・歌詞情報リンクデータベース１１３に登録された特徴量と書誌情報と歌詞情報を関連付けする。次にユーザ情報入力手段１０７でユーザ情報を入力する。次にデータベース自動更新手段１０８では、前記ユーザ情報入力手段１０７で入力したユーザ情報をもとに前記特徴量・書誌情報・歌詞情報リンクデータベース１１３を自動的に更新する。次に地域情報取得手段１０９で地域情報を取得する。次に楽曲検索手段１１０では、前記地域情報取得手段１０９で取得した地域情報をもとに前記特徴量・書誌情報・歌詞情報リンクデータベース１１３から楽曲を検索する。次に検索楽曲表示手段１１１では、前記楽曲検索手段１１０で検索した楽曲を表示する。次にデータベース変更手段１１２では、前記検索楽曲表示手段１１１で表示された楽曲が、ユーザの感性にあっていない場合、前記特徴量・書誌情報・歌詞情報リンクデータベース１１３を変更する。
【００１２】
次にデータベースの自動更新方法の一例を示す。まず、特徴量・書誌情報・歌詞情報リンクデータベースの構造例を図３−１に示す。この構造例は、前記音響信号入力手段、前記特徴量抽出・登録手段、前記書誌情報登録手段、前記歌詞情報入力手段、前記歌詞情報分析・登録手段、前記データベースリンク手段によって作成された特徴量・書誌情報・歌詞情報リンクデータベースの一例である。楽曲Ａに対して、特徴量および書誌・歌詞情報（タイトル、ジャンル、要素など）が関連付けられている。次にユーザ情報入力の例を図３−２に示す。ここでは、日記形式のユーザ情報の一例を示す。ユーザ情報の入力項目として、日時、場所、天気、季節、気分、出来事などの項目を入力項目とする。次に、データベースの自動更新方法を示す。まず、前記ユーザ情報を分析し、特徴量・書誌情報・歌詞情報リンクデータベースの書誌情報・歌詞情報から一致する要素を検索し、一致する要素が多い楽曲を選び出す。ここでは楽曲Ａが選択。楽曲Ａの書誌情報・歌詞情報の要素にユーザ情報で分析した内容（気分上々、興奮、出店、楽しい）を追加し、自動更新する。自動更新前の特徴量・書誌情報・歌詞情報リンクデータベースと自動更新後の特徴量・書誌情報・歌詞情報リンクデータベースを図３−３に示す。
【００１３】
（実施の形態２）
以下、本発明の実施の形態２について、図２を参照しながら説明する。図２は本発明の実施の形態２における楽曲検索方法の処理フローを示す図である。図２において、２０１は音響信号の読込みステップ、２０２は特徴量の抽出・登録ステップ、２０３は書誌情報の登録ステップ、２０４は歌詞情報の読込みステップ、２０５は歌詞情報の分析・登録ステップ、２０６データベースのリンク付けステップ、２０７はユーザ情報の読込みステップ、２０８はデータベースの更新ステップ、２０９は地域情報の読込みステップ、２１０は楽曲の検索ステップ、２１１は検索楽曲の表示ステップ、２１２はデータベースの更新ステップ、２１３は特徴量・書誌情報・歌詞情報リンクデータベースを表している。
【００１４】
最初に、音響信号の読込みステップ２０１で楽曲の音響信号を読み込む。次に、特徴量の抽出・登録ステップ２０２で、前記音響信号の読込みステップ２０１で読込んだ音響信号から特徴量を抽出し、特徴量・書誌情報・歌詞情報リンクデータベース２１３に登録する。次に書誌情報の登録ステップ２０３で、楽曲の書誌情報（アーティスト名、曲名、作詞者、作曲者、編曲者、ジャンル名など）を特徴量・書誌情報・歌詞情報リンクデータベース２１３に登録する。次に歌詞情報の読込みステップ２０４で楽曲の歌詞情報を読込む。次に歌詞情報の分析・登録ステップ２０５で前記歌詞情報の読込みステップ２０４で読込んだ歌詞情報を分析し、特徴量・書誌情報・歌詞情報リンクデータベース２１３に登録する。次にデータベースのリンク付けステップ２０６で前記特徴量・書誌情報・歌詞情報リンクデータベース２１３に登録された特徴量と書誌情報と歌詞情報を関連付けする。次にユーザ情報の読込みステップ２０７でユーザ情報を読込む。次にデータベースの自動更新ステップ２０８で前記ユーザ情報の読込みステップ２０７で入力したユーザ情報をもとに前記特徴量・書誌情報・歌詞情報リンクデータベース２１３を自動的に更新する。次に地域情報の読込みステップ２０９で地域情報を読込む。次に楽曲の検索ステップ２１０で前記地域情報の読込みステップ２０９で取得した地域情報をもとに前記特徴量・書誌情報・歌詞情報リンクデータベース２１３から楽曲を検索する。次に検索楽曲の表示ステップ２１１で前記楽曲の検索ステップ２１０で検索した楽曲を表示する。次にデータベースの変更ステップ２１２で前記検索楽曲の表示ステップ２１１で表示された楽曲が、ユーザの感性にあっていない場合、前記特徴量・書誌情報・歌詞情報リンクデータベース２１３を変更する。
【産業上の利用可能性】
【００１５】
本発明は、楽曲の特徴量や書誌情報を格納したデータベース内の情報を利用者の感性にあわせて変更でき、楽曲の特徴量や書誌情報を別の記録媒体に書込むことで、その情報を利用して、別のデータベースから楽曲の検索ができることによって、楽曲データや映像データを再生、書き込みなどを行う装置などにも適用できる。
【図面の簡単な説明】
【００１６】
【図１】本発明の実施の形態１による楽曲検索装置の概略構成を表すブロック図
【図２】本発明の実施の形態２における楽曲検索方法の処理フローチャート
【図３】本発明の実施の形態１におけるデータベースの構造およびユーザ情報と自動更新前後のデータベースの一例を示す図
【符号の説明】
【００１７】
１０１    音響信号入力手段
１０２    特徴量抽出・登録手段
１０３    書誌情報登録手段
１０４    歌詞情報入力手段
１０５    歌詞情報分析・登録手段
１０６    データベースリンク手段
１０７    ユーザ情報入力手段
１０８    データベース自動更新手段
１０９    地域情報取得手段
１１０    楽曲検索手段
１１１    検索楽曲表示手段
１１２    データベース変更手段
１１３    特徴量・書誌情報・歌詞情報リンクデータベース
２０１    音響信号の読込みステップ
２０２    特徴量の抽出・登録ステップ
２０３    書誌情報の登録ステップ
２０４    歌詞情報の読込みステップ
２０５    歌詞情報の分析・登録ステップ
２０６    データベースのリンク付けステップ
２０７    ユーザ情報の読込みステップ
２０８    データベースの自動更新ステップ
２０９    地域情報の読込みステップ
２１０    楽曲の検索ステップ
２１１    検索楽曲の表示ステップ
２１２    データベースの変更ステップ
２１３    特徴量・書誌情報・歌詞情報リンクデータベース
【図１】
2008242557.tif 000003
【図２】
2008242557.tif 000004
【図３】
2008242557.tif 000005